(57)【要約】【課題】基礎部材に対する取付強度を確保させる。【解決手段】基礎部材２０と、基礎部材２０に装着されメディアに近接する光学部品３０と、基礎部材２０に装着されメディアに対して接触することで光学部品３０を保護する光学部品保護部材１０と、を備える光学部品保護部材１０の取付構造に関する。光学部品保護部材１０に、基礎部材２０に対する取付強度を確保させる取付強度確保部１４が設けられた。前記光学部品保護部材１０の取付構造を有するヘッド装置を構成させる。基礎部材２０に対する取付強度を確保させる取付強度確保部１４を有する光学部品保護部材１０を基礎部材２０に装着させ、次に、取付強度確保部１４に基礎部材２０と光学部品保護部材１０との接合力を向上させる接合部材４０を備えさせ、その後、接合部材４０を硬化させる光学部品保護部材１０の取付方法を実行させる。【選択図】図２
2012069233.tif 000002
【特許請求の範囲】
【請求項１】
基礎部材に対する取付強度を確保させる取付強度確保部を有する
ことを特徴とする光学部品保護部材。
【請求項２】
メディアに対し接触することで光学部品を保護する保護部と、
前記メディアに対向する基礎部材に対し装着される取付部と、
を備え、
前記取付部に、前記基礎部材に対する取付強度を確保させる取付強度確保部が設けられた
ことを特徴とする光学部品保護部材。
【請求項３】
前記取付強度確保部は、略丸棒状または略円板状の取付主体部と、
前記取付主体部よりも細い括れ部と、
を少なくとも有する
ことを特徴とする請求項１又は２に記載の光学部品保護部材。
【請求項４】
前記取付強度確保部は、略丸棒状または略円板状の取付主体部と、
前記取付主体部よりも細径の括れ部と、
前記取付主体部と略同径の取付主体離れ部と、
を少なくとも有し、
前記取付主体部と前記取付主体離れ部との間に前記括れ部が設けられた
ことを特徴とする請求項１〜３の何れか１項に記載の光学部品保護部材。
【請求項５】
前記取付主体離れ部に、前記基礎部材に対する前記取付強度を確保させる突出部が設けられた
ことを特徴とする請求項４に記載の光学部品保護部材。
【請求項６】
請求項１〜５の何れか１項に記載の光学部品保護部材を有する
ことを特徴とするヘッド装置。
【請求項７】
基礎部材と、
前記基礎部材に装着されメディアに近接する光学部品と、
前記基礎部材に装着され前記メディアに対して接触することで前記光学部品を保護する光学部品保護部材と、
を備え、
前記光学部品保護部材に、前記基礎部材に対する取付強度を確保させる取付強度確保部が設けられた
ことを特徴とする光学部品保護部材の取付構造。
【請求項８】
前記基礎部材と前記光学部品保護部材との接合力を向上させる接合部材を備える
ことを特徴とする請求項７に記載の光学部品保護部材の取付構造。
【請求項９】
前記取付強度確保部に、前記接合部材が備えられた
ことを特徴とする請求項８に記載の光学部品保護部材の取付構造。
【請求項１０】
前記接合部材として、電子線硬化型接合部材が用いられた
ことを特徴とする請求項８又は９に記載の光学部品保護部材の取付構造。
【請求項１１】
前記接合部材として、熱硬化性接合部材が用いられた
ことを特徴とする請求項８〜１０の何れか１項に記載の光学部品保護部材の取付構造。
【請求項１２】
前記光学部品保護部材として、請求項１〜５の何れか１項に記載の光学部品保護部材が用いられた
ことを特徴とする請求項７〜１１の何れか１項に記載の光学部品保護部材の取付構造。
【請求項１３】
請求項７〜１２の何れか１項に記載の光学部品保護部材の取付構造を有する
ことを特徴とするヘッド装置。
【請求項１４】
基礎部材に対する取付強度を確保させる取付強度確保部を有する光学部品保護部材を前記基礎部材に装着させ、
次に、前記取付強度確保部に前記基礎部材と前記光学部品保護部材との接合力を向上させる接合部材を備えさせ、
その後、前記接合部材を硬化させる
ことを特徴とする光学部品保護部材の取付方法。
【発明の詳細な説明】
【技術分野】
【０００１】
本発明は、光学部品保護部材およびその取付構造、その取付方法、並びに、それらを有するヘッド装置に関するものである。
【背景技術】
【０００２】
図３は、従来の光学部品保護部材いわゆるレンズプロテクタの一形態を示すものである。
【０００３】
薄型形状をした光ピックアップ装置のレンズプロテクタ５００は、図３に示す構造とされている。
【０００４】
また、従来の他のレンズプロテクタが記載されたものとして、例えば、対物レンズの小型化及びＮＡの増大が可能になり、特にポータブル機器に好適な光ピックアップ及びそれを用いた光ディスク装置というものがある（例えば、特許文献１参照。）。
【先行技術文献】
【特許文献】
【０００５】
【特許文献１】特開２００６−３０２３３８号公報（第１，５頁、第１−４図）
【発明の概要】
【発明が解決しようとする課題】
【０００６】
しかしながら、図３に示す上記従来のレンズプロテクタ５００にあっては、例えば浮き防止のために接着する際の位置決めが必要な上に、接着強度があまり高くできず、取付け後の工程で剥離などの不具合が発生していた。
【０００７】
レンズホルダの表側については、接着剤が塗布されて盛られる分のスペースが無く、レンズホルダにレンズプロテクタ５００を接着させるときには、レンズホルダの裏側からの接着作業しかできないものとされている。
【０００８】
また、例えば、熱硬化性接着剤を使用することができれば接着強度を向上させることも可能とされるが、熱硬化性接着剤の硬化中にレンズプロテクタ５００の正確な位置決めが必要となり、熱硬化性接着剤を使用することは、困難なこととされていた。
【課題を解決するための手段】
【０００９】
上記課題を解決するために、本発明の光学部品保護部材は、基礎部材に対する取付強度を確保させる取付強度確保部を有することを特徴とする。
【００１０】
また、本発明の光学部品保護部材は、メディアに対し接触することで光学部品を保護する保護部と、前記メディアに対向する基礎部材に対し装着される取付部と、を備え、前記取付部に、前記基礎部材に対する取付強度を確保させる取付強度確保部が設けられたことを特徴とする。
【００１１】
また、本発明のヘッド装置は、上記光学部品保護部材を有することを特徴とする。
【００１２】
また、本発明の光学部品保護部材の取付構造は、基礎部材と、前記基礎部材に装着されメディアに近接する光学部品と、前記基礎部材に装着され前記メディアに対して接触することで前記光学部品を保護する光学部品保護部材と、を備え、前記光学部品保護部材に、前記基礎部材に対する取付強度を確保させる取付強度確保部が設けられたことを特徴とする。
【００１３】
また、本発明のヘッド装置は、上記光学部品保護部材の取付構造を有することを特徴とするヘッド装置。
【００１４】
また、本発明の光学部品保護部材の取付方法は、基礎部材に対する取付強度を確保させる取付強度確保部を有する光学部品保護部材を前記基礎部材に装着させ、次に、前記取付強度確保部に前記基礎部材と前記光学部品保護部材との接合力を向上させる接合部材を備えさせ、その後、前記接合部材を硬化させることを特徴とする。
【発明の効果】
【００１５】
以上の如く、本発明によれば、基礎部材に対する取付強度を確保可能な光学部品保護部材を提供することができる。
【００１６】
また、本発明によれば、基礎部材に対する取付強度を確保可能な光学部品保護部材を有するヘッド装置を提供することができる。
【００１７】
また、本発明によれば、基礎部材に対する取付強度を確保可能な光学部品保護部材の取付構造を提供することができる。
【００１８】
また、本発明によれば、基礎部材に対する取付強度を確保可能な光学部品保護部材の取付構造を有するヘッド装置を提供することができる。
【００１９】
また、本発明によれば、基礎部材に対する取付強度を確保可能な光学部品保護部材の取付方法を提供することができる。
【図面の簡単な説明】
【００２０】
【図１】本発明に係る光学部品保護部材の一実施の形態を示す図であり、（Ａ）は光学部品保護部材を示す側面図、（Ｂ）は光学部品保護部材を示す他の側面図、（Ｃ）は光学部品保護部材を示す下面図である。
【図２】本発明に係る光学部品保護部材およびその取付構造、その取付方法、並びに、それらを有するヘッド装置の一実施の形態を示す説明図である。
【図３】従来の光学部品保護部材の一形態を示す図であり、（Ａ）は光学部品保護部材を示す側面図、（Ｂ）は光学部品保護部材を示す他の側面図、（Ｃ）は光学部品保護部材を示す下面図である。
【発明を実施するための形態】
【００２１】
以下に本発明に係る光学部品保護部材およびその取付構造、その取付方法、並びに、それらを有するヘッド装置の一実施の形態を図面に基づいて詳細に説明する。
【００２２】
図１〜図３は、本発明に係る光学部品保護部材およびその取付構造、その取付方法、並びに、それらを有するヘッド装置の一実施の形態を示すものである。
【００２３】
光学ヘッド装置は、各種ディスク等の各種メディアに対応する（何れも図示せず）。ディスクとして例えば光ディスク等が挙げられる。光学ヘッド装置は、各種光ディスク等の各種メディアに記録されたデータ、情報、信号等を再生させる。又、光学ヘッド装置は、書込み可能もしくは書換え可能な各種光ディスク等の各種メディアにデータ、情報、信号、画像等を記録させる。また、データ、情報、信号等の消去が可能な各種光ディスク等の各種メディアに対応して、光学ヘッド装置は、各種光ディスク等の各種メディアに記録されたデータ、情報、信号等を消去させる。メディア（ｍｅｄｉａ）とは、例えば、データ、情報、信号などが保存されるディスク等を意味する。
【００２４】
また、光学ヘッド装置は、例えば「ＣＤ」（Ｃｏｍｐａｃｔ  Ｄｉｓｃ）（商標）系列／規格のメディア、「ＤＶＤ」（登録商標）（Ｄｉｇｉｔａｌ  Ｖｅｒｓａｔｉｌｅ  Ｄｉｓｃ）系列／規格のメディア、「ＨＤ  ＤＶＤ」（Ｈｉｇｈ  Ｄｅｆｉｎｉｔｉｏｎ  ＤＶＤ）（登録商標）／規格系列のメディア、中国において定められた規格に基づくメディアとされる「ＣＢＨＤ（Ｃｈｉｎａ  Ｂｌｕｅ  Ｈｉｇｈ−Ｄｅｆｉｎｉｔｉｏｎ）」（例えば旧名「ＣＨ−ＤＶＤ」）系列／規格のメディア、「ＢＤ」（Ｂｌｕ−ｒａｙ／Ｂｌｕ−ｒａｙ  Ｄｉｓｃ）（登録商標）系列／規格のメディアに対応する。光学ヘッド装置は、例えば、上記各種メディアからなる群から選ばれる少なくとも一種のメディアに対応したものとされている。具体的に説明すると、光学ヘッド装置は、上記複数の何れかのメディアに対応したものとされている。
【００２５】
メディアとして例えば上記各種光ディスク等が挙げられるが、次の形態をしたメディアも挙げられる。例えば、ディスクとして、ディスク両面に信号面部が設けられ、データ書込み／消去やデータ書換え等が可能とされた光ディスク等も挙げられる。また、ディスクとして、例えば二層の信号面部が設けられ、データ書込み／消去やデータ書換え等が可能とされた光ディスク等も挙げられる。また、例えば三層の信号面部が設けられ、データ書込み／消去やデータ書換え等が可能とされた「ＨＤ  ＤＶＤ」用光ディスク等も挙げられる。また、例えば三層または四層の信号面部が設けられ、データ書込み／消去やデータ書換え等が可能とされた「ＢＤ」用光ディスク等も挙げられる。また、例えば光ディスクのレーベル面部の側にレーザ光を照射させてレーベル等の各種書込み等を行うことが可能とされた光ディスク等も挙げられる。光ディスクの信号面部、レーベル面部は、例えば金属薄膜などの薄層等を備えて構成されている。金属薄膜などを備えて構成される信号面部にデータ、情報、信号などが記録され、レーベル面部に画像などが記録される。光ディスクの信号面部は、例えば金属薄層などを備えて構成される信号層として構成されている（何れも図示せず）。このように、各種光ディスクとして各種形態をした複層／多層構造の光ディスクが挙げられる。便宜上、各種形態の光ディスクを光ディスクとして纏めて説明する。
【００２６】
この光学部品保護部材１０は、基礎部材２０に対する取付強度を確保させる取付強度確保部１４を有するものとされている。
【００２７】
詳しく説明すると、この光学部品保護部材１０は、メディアに対し接触することで光学部品３０を保護する保護部１１と、メディアに対向する基礎部材２０に対し装着される取付部１３と、を備えて構成されている。取付部１３に、基礎部材２０に対する取付強度を確保させる取付強度確保部１４が設けられている。
【００２８】
取付強度確保部１４は、略丸棒状または略円板状の取付主体部１５と、取付主体部１５よりも細い括れ部１６と、を少なくとも有するものとされている。
【００２９】
詳しく説明すると、取付強度確保部１４は、略丸棒状または略円板状の取付主体部１５と、取付主体部１５よりも細径の括れ部１６と、取付主体部１５と略同径の取付主体離れ部１７と、を少なくとも有するものとされている。取付主体部１５と取付主体離れ部１７との間に括れ部１６が設けられている。
【００３０】
取付主体離れ部１７に、基礎部材２０に対する取付強度を確保させる複数の突出部１８が設けられている。
【００３１】
このように光学部品保護部材１０を構成させることにより、基礎部材２０に対する取付強度を確保可能な光学部品保護部材１０を提供することができる。
【００３２】
なお、取付主体離れ部１７に続くように延設された括れ部１６と略同じ径の端部１９は、例えば光学部品保護部材１０が射出成形法に基づいて形成されるときの湯口跡部を兼ねた端部１９として形成されている。
【００３３】
また、この光学ヘッド装置（不図示）は、上記光学部品保護部材１０を有するものとされている。
【００３４】
上記光学部品保護部材１０を構成させて光学ヘッド装置に装備させることにより、基礎部材２０に対する取付強度を確保可能な光学部品保護部材１０を有する光学ヘッド装置を提供することができる。
【００３５】
次に、光学部品保護部材１０の取付構造について説明すると、この光学部品保護部材１０の取付構造は、基礎部材２０と、基礎部材２０に装着されメディアに近接する光学部品３０と、基礎部材２０に装着されメディアに対して接触することで光学部品３０を保護する光学部品保護部材１０と、を備えて構成されている。光学部品保護部材１０に、基礎部材２０に対する取付強度を確保させる取付強度確保部１４が設けられている。
【００３６】
また、この光学部品保護部材１０の取付構造は、基礎部材２０と光学部品保護部材１０との接合力を向上させる接合部材４０を備えて構成されている。
【００３７】
取付強度確保部１４に、接合部材４０が備えられている。
【００３８】
接合部材４０として、例えば電子線硬化型接合部材４０が用いられる。
【００３９】
また、接合部材４０として、例えば熱硬化性接合部材４０が用いられる。
【００４０】
また、光学部品保護部材１０として、図１及び図２に示す上記光学部品保護部材１０が用いられている。
【００４１】
このように光学部品保護部材１０の取付構造を構成させることにより、基礎部材２０に対する取付強度を確保可能な光学部品保護部材１０の取付構造を提供することができる。
【００４２】
また、この光学ヘッド装置は、図２に示す上記光学部品保護部材１０の取付構造を有するものとされている。
【００４３】
上記光学部品保護部材１０の取付構造を構成させて光学ヘッド装置に装備させることにより、基礎部材２０に対する取付強度を確保可能な光学部品保護部材１０の取付構造を有する光学ヘッド装置を提供することができる。
【００４４】
次に、光学部品保護部材１０の取付方法について説明する。先ず、基礎部材２０に対する取付強度を確保させる取付強度確保部１４を有する光学部品保護部材１０を基礎部材２０に装着させる。次に、取付強度確保部１４に、基礎部材２０と光学部品保護部材１０との接合力を向上させる上記接合部材４０を備えさせる。その後、接合部材４０を硬化させる。
【００４５】
このように光学部品保護部材１０の取付方法を行うことを提案することで、基礎部材２０に対する取付強度を確保可能な光学部品保護部材１０の取付方法を提供することができる。
【００４６】
光学部品保護部材１０の位置決めについては、基礎部材２０の取付部２３に、複数の突出部１８が設けられた取付主体離れ部１７を有する光学部品保護部材１０の取付部１３を軽圧入状態にして仮固定を行う。光学部品保護部材１０の取付部１３を構成する略丸棒状または略円板状の取付主体部１５と、取付主体部１５と略同径の取付主体離れ部１７と、の間に、取付主体部１５および取付主体離れ部１７よりも細径の括れ部１６が設けられているので、光学部品保護部材１０の取付部１３の括れ部１６に流れ込んだ接合部材４０がアンカーとなる。これにより、基礎部材２０に対する光学部品保護部材１０の接合強度が確保される。このように光学部品保護部材１０が構成されていれば、浮き防止用の押さえ部材が不要となり、接合部材４０として熱硬化性接合部材４０も容易に使用できる。
【００４７】
なお、光学部品保護部材１０の保護部１１におけるメディア側の周縁部１１ｂは、例えば回動しているメディアに不用意に光学部品保護部材１０の保護部１１が接してもメディアに損傷が加えられることを回避させるために略滑らかな曲面状とされるＲ形状に形成されているが、回動しているメディアに光学部品保護部材１０の保護部１１が接したときに光学部品保護部材１０の保護部１１における側面部１１ｃの剥離を防ぐために例えば略傾斜面状とされるＣ面取り状に形成されていてもよい。
【００４８】
また、光学部品保護部材１０が基礎部材２０に接合されるときに、光学部品保護部材１０の取付部１３が備えられた基礎部材２０の収容部２５に液状の接合部材４０が注入され易くされるために、基礎部材２０の上面部２２に接している光学部品保護部材１０の保護部１１における下面部１１ｄに、収容部２５内の空気を逃し易くさせる複数の空気逃し部１２が設けられている。
【００４９】
また、光学部品３０の上面部３１よりも光学部品保護部材１０の保護部１１の上面部１１ａのほうが、例えば略０．０３ｍｍ以上略０．８ｍｍ以下、好ましくは略０．０７ｍｍ以上略０．３ｍｍ以下ほど上側に向けて突出されてメディアの基板の下面部に接触されない程度にメディアに近づけられるように高さが高く設定される。これは、例えばメディアに対する光学部品３０の焦点方向に略沿った作動距離に配慮したものとされる。
【００５０】
例えば「ＣＤ」系列のメディアに対する光学部品３０の作動距離は、略０．６１ｍｍとされている。また、例えば「ＤＶＤ」系列のメディアに対する光学部品３０の作動距離は、略０．８４ｍｍとされている。また、例えば「ＨＤ  ＤＶＤ」系列のメディアに対する光学部品３０の作動距離は、略０．７６ｍｍとされている。また、例えば「ＢＤ」系列のメディアに対する光学部品３０の作動距離は、略０．３６ｍｍとされている。
【００５１】
このように、光学部品３０の上面部３１よりも光学部品保護部材１０の保護部１１の上面部１１ａのほうが、メディアの基板の下面部に接触されない程度にメディアに近づけられるように高さが高く設定され、光学部品３０の上面部３１と、光学部品保護部材１０の保護部１１の上面部１１ａと、の距離Ｄは、メディアに対する光学部品３０の焦点方向に略沿った作動距離よりも短く設定される。本願における「上」、「下」等の定義は、例えば便宜上の定義とされる。
【００５２】
上記光学部品保護部材１０およびその取付構造、その取付方法、並びに、それらを有する光学ヘッド装置について、具体的に対物レンズプロテクタ１０およびその取付構造、その取付方法、並びに、それらを有する光ピックアップ装置を用いて説明する。
【００５３】
この微小な略突出形状をした対物レンズプロテクタ１０は、略矩形箱状をしたレンズホルダ２０の略平板状天壁２１に対する取付強度を確保させる取付強度確保部１４を有するものとされている。
【００５４】
詳しく説明すると、この微小な略突出形状をした対物レンズプロテクタ１０は、略円板状の光ディスクに対し接触することで光ディスクに近接する略凸レンズ状の対物レンズ３０を光ディスクに接触させることなく保護する頭部１１と、光ディスクに対向する略矩形箱状のレンズホルダ２０の略平板状天壁２１に対し装着される胴部１３と、を備えて構成されている。対物レンズプロテクタ１０を構成する胴部１３に、略矩形箱状をしたレンズホルダ２０の略平板状天壁２１に対する取付強度を確保させる取付強度確保部１４が設けられている。
【００５５】
対物レンズプロテクタ１０を構成する取付強度確保部１４の胴部１３は、略丸棒状または略円板状の基部１５と、基部１５よりも細い径のアンカー部１６と、を少なくとも有するものとされている。
【００５６】
詳しく説明すると、対物レンズプロテクタ１０を構成する取付強度確保部１４の胴部１３は、略丸棒状または略円板状の基部１５と、基部１５よりも細径のアンカー部１６と、基部１５と略同径の保持部１７と、を少なくとも有するものとされている。基部１５と保持部１７との間に細径のアンカー部１６が設けられている。
【００５７】
対物レンズプロテクタ１０の基部１５と略同径の保持部１７に、略矩形箱状をしたレンズホルダ２０の略平板状天壁２１に対する取付強度をより確保させる少なくとも四つの突起部１８が設けられている。
【００５８】
このように対物レンズプロテクタ１０を構成させることにより、略矩形箱状をしたレンズホルダ２０の略平板状天壁２１に対する取付強度を確保可能な対物レンズプロテクタ１０を提供することができる。
【００５９】
なお、保持部１７に続くように対物レンズプロテクタ１０の下側に向けて延設されたアンカー部１６と略同じ直径の略円板状の先端部１９は、例えば対物レンズプロテクタ１０が射出成形用金型（不図示）内にて射出成形法に基づいて形成されるときのゲート跡部を兼ねた端部１９として形成されている。
【００６０】
また、例えば、射出成形が可能な熱可塑性の耐熱性合成重合体／樹脂材料が用いられて、射出成形法に基づき対物レンズプロテクタ１０および／または対物レンズ３０および／または光ディスク基板が形成される。詳しく説明すると、対物レンズプロテクタ１０は、例えば、摺動性、耐摩耗性、低摩擦性、耐疲労性、機械的特性、成形性に優れるポリオキシメチレン（ｐｏｌｙｏｘｙｍｅｔｈｙｌｅｎｅ）系樹脂を基材とした組成物が用いられて、射出成形法に基づき形成される。ポリオキシメチレン樹脂は、例えばＰＯＭと略称され、一般にポリアセタール樹脂と呼ばれている。
【００６１】
ポリアセタール樹脂は、主としてオキシメチレン（−ＣＨ２Ｏ−）からなる繰返し単位を分子内に含む例えば結晶性のエンジニアリングプラスチックスとされる。ポリアセタール樹脂として、単独重合体（ホモポリマー）、共重合体（コポリマー）のものが挙げられる。例えば安定性の高いコポリマーのポリアセタール樹脂の使用が好ましいが、ホモポリマー、コポリマーの何れのポリアセタール樹脂も使用可能とされる。また、例えばポリアセタール樹脂と他の種類の樹脂等とのポリマアロイも使用可能とされる。
【００６２】
ポリアセタール樹脂のうち市販のホモポリマーとして、例えば、旭化成ケミカルズ社製：テナック（登録商標）、デュポン社製：デルリン（登録商標）等が挙げられる。また、ポリアセタール樹脂のうち市販のコポリマーとして、例えば、ポリプラスチックス社製：ジュラコン（登録商標）、旭化成ケミカルズ社製：テナック−Ｃ等が挙げられる。
【００６３】
対物レンズプロテクタ１０は、例えば、対物レンズ３０および／または光ディスク基板と略同じ硬度の材質、又は、対物レンズ３０および／または光ディスク基板の硬度よりも小さい硬度／軟らかい材質が用いられて形成されることが好ましいが、この限りとされない。
【００６４】
例えば対物レンズプロテクタ１０は、「ＡＳＴＭ  Ｄ７８５」に基づく試験法または「ＪＩＳ  Ｋ７２０２（−２）」に基づく試験法にて、ロックウェル硬度が略Ｍ５０以上略Ｒ１３０以下の合成樹脂製成形体として形成されることが好ましい。ロックウェル硬度を示す数値の前に記載された「Ｍ」または「Ｒ」は、ロックウェル硬度におけるスケールを示し、ここでは、「Ｍ−スケール」、「Ｒ−スケール」による硬度を示す。
【００６５】
例えば前記試験法によるロックウェル硬度が略Ｍ５０よりも軟らかい合成樹脂製対物レンズプロテクタ１０が用いられた場合、例えば対物レンズプロテクタ１０に光ディスクの基板が回動接触したときに対物レンズプロテクタ１０の頭部１１の損傷度が大きくなり、また、対物レンズプロテクタ１０の頭部１１の早期磨滅が懸念される。また、例えば前記試験法によるロックウェル硬度が略Ｒ１３０よりも硬い合成樹脂製対物レンズプロテクタ１０が用いられた場合、例えば対物レンズプロテクタ１０に光ディスクの基板が回動接触したときに光ディスクの基板の損傷等が懸念される。
【００６６】
対物レンズプロテクタ１０を形成する材料として、適度な硬度とされる上記ポリアセタール樹脂が用いられた。詳しく説明すると、対物レンズプロテクタ１０を形成する材料として、前記試験法によるロックウェル硬度が例えば略Ｍ７８以上略Ｒ１２０以下とされると共に摺動性、成形性等に優れる上記ポリアセタール樹脂が用いられた。例えばホモポリマーのポリアセタール樹脂の硬度は、前記試験法によるロックウェル硬度にて略Ｍ９２以上略Ｒ１２０以下とされる。また、例えばコポリマーのポリアセタール樹脂の硬度は、前記試験法によるロックウェル硬度にて略Ｍ７８以上略Ｍ９０以下とされる。
【００６７】
また、例えば射出成形が可能な熱可塑性の耐熱性合成重合体として、ポリアミド系エラストマ等のエラストマ、弾性体、ポリアミド系樹脂等が用いられて、対物レンズプロテクタ１０が形成されてもよい。
【００６８】
また、例えば、射出成形が可能であって透明または半透明をした熱可塑性の耐熱性合成重合体／樹脂材料が用いられて、射出成形法に基づき対物レンズプロテクタ１０および／または対物レンズ３０および／または光ディスク基板が形成される。詳しく説明すると、対物レンズプロテクタ１０および／または対物レンズ３０および／または光ディスク基板は、例えば、耐候性、鏡面平滑性、精度などに優れ、透明度の高いアクリル／メタクリル系樹脂を基材とした組成物が用いられて、射出成形法に基づき形成される。メタクリル樹脂の正式名称は、ポリメチルメタクリレート（ｐｏｌｙｍｅｔｈｙｌ  ｍｅｔｈａｃｒｙｌａｔｅ）であり、ポリメチルメタクリレートは例えばＰＭＭＡと略称される。また、メタクリル樹脂は、アクリル樹脂と呼ばれることもある。また、対物レンズプロテクタ１０および／または対物レンズ３０および／または光ディスク基板は、例えば、加工性などに優れ、価格低減化が図られるポリカーボネート（ＰＣ：ｐｏｌｙｃａｒｂｏｎａｔｅ）系樹脂を基材とした組成物が用いられて形成される。対物レンズプロテクタ１０は、例えば、対物レンズ３０および／または光ディスク基板と略同じ材質が用いられて形成されてもよい。
【００６９】
また、この小型／薄肉構造の光ピックアップ装置は、上記対物レンズ３０と、上記対物レンズプロテクタ１０と、を有するものとされている。
【００７０】
微小な略リベット状の上記対物レンズプロテクタ１０を構成させて小型／薄肉構造の光ピックアップ装置に装備させることにより、略矩形箱状をしたレンズホルダ２０の略平板状天壁２１に対する取付強度を確保可能な微小略リベット状の対物レンズプロテクタ１０を有すると共に、レンズホルダ２０に装備された対物レンズ３０を有する小型／薄肉構造の光ピックアップ装置を提供することができる。
【００７１】
次に、対物レンズプロテクタ１０の取付構造について説明すると、この対物レンズプロテクタ１０の取付構造は、略矩形箱状のレンズホルダ２０の略平板状天壁２１と、略矩形箱状をしたレンズホルダ２０の略平板状天壁２１に装着され略円板状の光ディスクに接触することなく近接対向する略凸レンズ状の対物レンズ３０と、略矩形箱状をしたレンズホルダ２０の略平板状天壁２１に装着され光ディスクに対して接触することで光ディスクに近接対向する対物レンズ３０を光ディスクに接触させることなく保護する微小な略リベット状の対物レンズプロテクタ１０と、を備えて構成されている。微小な略リベット状をした対物レンズプロテクタ１０の胴部１３に、略矩形箱状をしたレンズホルダ２０の略平板状天壁２１に対する取付強度を確保させる取付強度確保部１４が設けられている。
【００７２】
また、この対物レンズプロテクタ１０の取付構造は、略矩形箱状をしたレンズホルダ２０の略平板状天壁２１と微小な略リベット状の対物レンズプロテクタ１０との接着力を向上させる接着剤４０を備えて構成されている。
【００７３】
微小な略リベット状をした対物レンズプロテクタ１０の取付強度確保部１４を含むその周辺に、接着剤４０が塗布されて備えられることで、略矩形箱状をしたレンズホルダ２０の略平板状天壁２１に、微小な略リベット状の対物レンズプロテクタ１０の胴部１３が固着されている。
【００７４】
接着剤４０として、例えば紫外線硬化型接着剤４０が用いられる。
【００７５】
また、接着剤４０として、例えば熱硬化性接着剤４０が用いられる。
【００７６】
また、対物レンズプロテクタ１０として、図１及び図２に示す微小な略リベット状の上記対物レンズプロテクタ１０が用いられている。
【００７７】
このように対物レンズプロテクタ１０の取付構造を構成させることにより、略矩形箱状をしたレンズホルダ２０の略平板状天壁２１に対する取付強度を確保可能な微小略リベット状の対物レンズプロテクタ１０の取付構造を提供することができる。
【００７８】
また、この小型／薄肉構造の光ピックアップ装置は、図２に示す微小な略リベット状の上記対物レンズプロテクタ１０を備えた対物レンズプロテクタ１０の取付構造を有するものとされている。
【００７９】
微小な略リベット状の上記対物レンズプロテクタ１０を備えた対物レンズプロテクタ１０の取付構造を構成させて小型／薄肉構造の光ピックアップ装置に装備させることにより、略矩形箱状をしたレンズホルダ２０の略平板状天壁２１に対する取付強度を確保可能な微小略リベット状の対物レンズプロテクタ１０を備えた対物レンズプロテクタ１０の取付構造を有する小型／薄肉構造の光ピックアップ装置を提供することができる。
【００８０】
次に、微小な略リベット状をした対物レンズプロテクタ１０の取付方法について説明する。先ず、略矩形箱状のレンズホルダ２０の略平板状天壁２１に対する取付強度を確保させる取付強度確保部１４を有する微小な略リベット状の対物レンズプロテクタ１０を、略矩形箱状をしたレンズホルダ２０の略平板状天壁２１に装着させる。次に、略矩形箱状のレンズホルダ２０の略平板状天壁２１に装着された微小な略リベット状対物レンズプロテクタ１０の取付強度確保部１４を含むその周辺に、略矩形箱状をしたレンズホルダ２０の略平板状天壁２１と微小な略リベット状対物レンズプロテクタ１０との接着力を向上させる上記接着剤４０を塗布させて備えさせる。その後、接着剤４０を電子線硬化および／または熱硬化させる。
【００８１】
このように微小な略リベット状をした対物レンズプロテクタ１０の取付方法を行うことを提案することで、略矩形箱状をしたレンズホルダ２０の略平板状天壁２１に対する取付強度を確保可能な微小略リベット状の対物レンズプロテクタ１０の取付方法を提供することができる。
【００８２】
微小な略リベット状対物レンズプロテクタ１０の位置決めについては、レンズホルダ２０を構成する略平板状天壁２１の取付孔２３に、少なくとも四つの突起部１８が設けられた保持部１７を有する対物レンズプロテクタ１０の胴部１３を軽圧入状態に挿入して仮固定を行う。
【００８３】
微小な略リベット状対物レンズプロテクタ１０の胴部１３を構成する略丸棒状または略円板状の基部１５と、基部１５と略同径の保持部１７と、の間に、基部１５および保持部１７よりも細径のアンカー部１６が設けられているので、微小な略リベット状対物レンズプロテクタ１０の胴部１３のアンカー部１６に流れ込んで固められた接着剤４０がアンカーとしての役割を果たす。これにより、レンズホルダ２０に対する対物レンズプロテクタ１０の接着強度が確保される。
【００８４】
このように微小な略リベット状をした対物レンズプロテクタ１０が構成されていれば、浮き防止用の押さえ部材が不要となり、接着剤４０として熱硬化性接着剤４０も容易に使用できる。
【００８５】
接着剤として、例えば一液性接着剤、二液性接着剤などが挙げられる。例えば一液性および／または二液性接着剤を構成する重合体／主剤として、エポキシ系重合体、変性アクリル系重合体、ポリウレタン系重合体、アクリル酸エステル系重合体、メタクリル酸エステル系重合体からなる群から選択される重合体のうちの少なくとも一種の重合体が用いられる。また、例えば硬化されたのちの一液性および／または二液性接着剤を構成する樹脂は、エポキシ系樹脂、変性アクリル系樹脂、ポリウレタン系樹脂、ポリアクリル系樹脂、ポリメタクリル系樹脂からなる群から選択される樹脂のうちの少なくとも一種の樹脂とされる。また、例えば二液性接着剤を構成する硬化剤として、ポリチオール、ポリアミドアミン、変性ポリアミン、三級アミンからなる群から選択される重合体のうちの少なくとも一種の重合体が用いられる。
【００８６】
また、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。アクリル系接着剤、エポキシ系接着剤などの重合体系接着剤が用いられることにより、例えば高い振動成分等が吸収される。
【００８７】
具体的なエポキシ系接着剤として、例えば、スイス国ハンツマン（ハンツマン・アドバンスト・マテリアルズ）社製／ハンツマン・ジャパン社販売：アラルダイト（登録商標）２０１０−１、２０１２等が挙げられる。アラルダイト（登録商標）２０１０−１は、２３℃の温度条件下における粘度が略８００００ｍＰａｓ（ミリパスカル秒）とされ、速硬化性に優れる。また、例えばアラルダイト（登録商標）２０１２は、主剤ＡＷ２１０４と、硬化剤ＨＷ２９３４と、を有する二液性の接着剤とされ、また、２３℃の温度条件下における粘度が略２５０００〜３５０００ｍＰａｓとされ、汎用性、速硬化性に優れる。
【００８８】
また、具体的なポリウレタン系接着剤として、例えば、スイス国ハンツマン（ハンツマン・アドバンスト・マテリアルズ）社製／ハンツマン・ジャパン社販売：アラルダイト（登録商標）２０５５等が挙げられる。アラルダイト（登録商標）２０５５は、例えばチクソ性（ｔｈｉｘｏｔｒｏｐｙ）のものとされ、また、例えば引張りせん断強さが略９０００ｍＰａｓとされ、例えば隙間充填性などに優れる。チクソ性とは、例えば溶液状態から固体化する際に一部が固体化する固体液体共存状態において、撹拌されると見掛けの粘度が低下する現象を意味する。
【００８９】
また、具体的な変性アクリル系接着剤として、例えば、スイス国ハンツマン（ハンツマン・アドバンスト・マテリアルズ）社製／ハンツマン・ジャパン社販売：アラルダイト（登録商標）２０２１等が挙げられる。例えばアラルダイト（登録商標）２０２１は、主剤ＸＤ４６６１Ａと、硬化剤ＸＤ４６６１Ｄと、を有する二液性の接着剤とされ、また、２３℃の温度条件下における粘度が約６００００ｍＰａｓとされ、最低硬化時間が略１８分と短く他のアラルダイト（登録商標）よりも速硬化性に優れる。
【００９０】
また、接着剤として、例えば、スリーボンド社製：嫌気性強力封着剤などの嫌気性接着剤が挙げられる。嫌気性接着剤は、例えば空気に触れている間は硬化せず、空気を遮断することで硬化する接着剤とされている。また、スリーボンド社製：嫌気性強力封着剤は、紫外線硬化特性などの電子線硬化特性も併せて備えているので、例えば、はみ出された嫌気性接着剤に紫外線などの電子線を照射させることにより、はみ出された嫌気性接着剤が硬化する。嫌気性接着剤を構成する主成分として、例えば、（メタ）アクリル酸エステル、メタクリル酸エステル、メタクリル酸エステルモノマー等が挙げられる。
【００９１】
嫌気性接着剤とされるスリーボンド社製の１３００シリーズのものとして、例えば、スリーボンド（登録商標）１３５９Ｄ、スリーボンド（登録商標）１３７３Ｎ等が挙げられる。スリーボンド（登録商標）１３５９Ｄは、硬化前の主成分が（メタ）アクリル酸エステルとされ、例えば室温時における粘度が略１４０００ｍＰａｓであって速硬性とされ、紫外線硬化特性などの電子線硬化特性も有し、硬化されたのちにはポリアクリル樹脂となって、耐振動性、耐熱性、可とう性、面接着性などに優れる。また、スリーボンド（登録商標）１３７３Ｎは、硬化前の主成分がメタクリル酸エステルとされ、例えば室温時における粘度が略９０ｍＰａｓであって速硬性とされ、紫外線硬化特性などの電子線硬化特性も有し、硬化されたのちにはメタクリル樹脂となって、耐振動性、耐熱性、低温硬化性などに優れる。
【００９２】
また、接着剤として、例えば、スリーボンド社製：瞬間接着剤（ゴールドラベルシリーズ）が挙げられる。瞬間接着剤は、数秒から数十秒という「秒速」で被着材同士を固定させる接着剤とされている。瞬間接着剤とされるスリーボンド社製の７７００シリーズのものとして、例えば、スリーボンド（登録商標）７７４１等が挙げられる。スリーボンド（登録商標）７７４１は、主成分が２−シアノアクリル酸エチルとされ、例えば室温時における粘度が略２ｍＰａｓであって瞬間接着性に優れる。
【００９３】
また、電子線硬化型接着剤の一種とされる紫外線硬化型接着剤として、例えば、米国ＮＯＲＬＡＮＤ社製：光学ＵＶ接着剤ＮＯＡ６５，ＮＯＡ６８，ＮＯＡ７３，ＮＯＡ８３Ｈ等が挙げられる。光学ＵＶ接着剤ＮＯＡ６５，ＮＯＡ６８，ＮＯＡ７３，ＮＯＡ８３Ｈ等の紫外線硬化型接着剤は、アクリル系のものとされ、一液性の紫外線硬化型接着剤とされている。アクリル系の紫外線硬化型接着剤は、硬化時間が短く数秒単位で硬化可能なものとされている。「ＵＶ」とは、「ｕｌｔｒａｖｉｏｌｅｔ」を意味する。また、「ｕｌｔｒａｖｉｏｌｅｔ  ｒａｄｉａｔｉｏｎ」は、「紫外線」を意味する。紫外線硬化型接着剤は、ＵＶ硬化型接着剤などと呼ばれている。
【００９４】
ＮＯＲＬＡＮＤ社製：ＮＯＡ６５は、例えば室温時における粘度が略１０００〜１２００ｃｐｓ（シーピーエス／ｃｅｎｔｉｐｏｉｓｅ）とされ、柔軟性があり例えば精巧な部分に接着させることが可能とされる。なお、１ｃｐｓは、１ｍＰａｓとされる。また、ＮＯＲＬＡＮＤ社製：ＮＯＡ６８は、例えば室温時における粘度が略５０００ｃｐｓとされ、柔軟性があり例えば精巧な部分に接着させることが可能とされる。また、ＮＯＲＬＡＮＤ社製：ＮＯＡ７３は、例えば室温時における粘度が略１３０ｃｐｓとされ、柔軟性があり低粘度で例えば精巧な部分に薄く接着させることが可能とされている。また、ＮＯＲＬＡＮＤ社製：ＮＯＡ８３Ｈは、例えば室温時における粘度が略２５０ｃｐｓとされ、ＵＶ特性に加えて熱硬化特性も併せ持ち、例えば光が直接届かない部分への接着も可能とされている。
【００９５】
また、電子線硬化型接着剤の一種とされる紫外線硬化型接着剤として、例えば、米国ＥＭＩ社製：商品名「ＯＰＴＯＣＡＳＴ」シリーズのもの等が挙げられる。具体的な紫外線硬化型接着剤としては、米国ＥＭＩ社製：ＯＰＴＯＣＡＳＴ３４１５，ＯＰＴＯＣＡＳＴ３５０５−ＨＭ等が挙げられる。ＯＰＴＯＣＡＳＴ３４１５，ＯＰＴＯＣＡＳＴ３５０５−ＨＭ等の紫外線硬化型接着剤は、エポキシ系のものとされ、一液性の紫外線硬化型接着剤とされている。エポキシ系の紫外線硬化型接着剤は、低収縮性で高耐熱性のものとされ、耐薬品性、耐湿性に優れるものとされている。一液性の紫外線硬化型接着剤が用いられることにより、二液性の紫外線硬化型接着剤が使用されるときに行われる液と液との混合作業が不要となる。従って、接着剤の塗布工程は、迅速で効率的に行われる。
【００９６】
ＥＭＩ社製：ＯＰＴＯＣＡＳＴ３４１５は、例えば室温時における粘度が略１０００００ｃｐｓとされ、ＵＶ照射に加えて加熱されることで確実に硬化される。また、ＥＭＩ社製：ＯＰＴＯＣＡＳＴ３５０５−ＨＭは、例えば室温時における粘度が略３００〜５００ｃｐｓとされ、ＵＶ照射に加えて加熱されることで確実に硬化される。
【００９７】
また、接着工程が行われるときの接着剤の粘度は、例えば室温時の条件下、具体的には２３℃の温度条件下において、例えば略２ｍＰａｓ以上略１８００００ｍＰａｓ以下とされる。
【００９８】
室温時の条件下、具体的には２３℃の温度条件下における接着剤の粘度が略１８００００ｍＰａｓを超える高粘度とされた場合、対物レンズプロテクタ１０が備えられたレンズホルダ２０を構成する天壁２１の取付孔２３の収容室２５内に接着剤が略均一に行渡らないことが懸念される。
【００９９】
このようなことから、接着工程が行われるときの接着剤の粘度は、室温時の条件下、具体的には２３℃の温度条件下において、例えば略６００００ｍＰａｓ以下とされることが好ましい。より好ましくは、接着工程が行われるときに、室温時の条件下、具体的には２３℃の温度条件下における接着剤の粘度が例えば略１４０００ｍＰａｓ以下とされることにより、対物レンズプロテクタ１０が備えられたレンズホルダ２０を構成する天壁２１の取付孔２３の収容室２５内に接着剤が確実に広げられる。
【０１００】
また、室温時の条件下、具体的には２３℃の温度条件下における接着剤の粘度が略２ｍＰａｓ未満の低粘度とされた場合、対物レンズプロテクタ１０が備えられたレンズホルダ２０を構成する天壁２１の取付孔２３の収容室２５内から例えば接着剤の垂れ落ち発生等が懸念される。
【０１０１】
好ましくは、接着工程が行われるときに、室温時の条件下、具体的には２３℃の温度条件下における接着剤の粘度が例えば略２５０ｍＰａｓ以上とされることにより、例えば接着剤の垂れ落ち等が生じ難くなり、対物レンズプロテクタ１０が備えられたレンズホルダ２０を構成する天壁２１の取付孔２３の収容室２５内に接着剤が広く確実に留まる。
【０１０２】
より好ましくは、接着工程が行われるときに、室温時の条件下、具体的には２３℃の温度条件下における接着剤の粘度が例えば略１０００ｍＰａｓ以上とされることにより、例えば接着剤の垂れ落ち発生等が防止され易くなり、対物レンズプロテクタ１０が備えられたレンズホルダ２０を構成する天壁２１の取付孔２３の収容室２５内に接着剤がより確実に留まる。
【０１０３】
なお、対物レンズプロテクタ１０の略円板状頭部１１における光ディスクの基板側の上側周縁部１１ｂは、例えば高速回動している光ディスクの基板に不用意に対物レンズプロテクタ１０の頭部１１が接触しても光ディスクに甚だしい損傷が加えられることを回避させるために略滑らかな曲面状とされるＲ形状に形成されているが、高速回動している光ディスクの基板に対物レンズプロテクタ１０の頭部１１が接触したときに対物レンズプロテクタ１０の略円板状頭部１１における側面部１１ｃの剥離を防ぐことを目的として、対物レンズプロテクタ１０の頭部１１の上面部１１ａまたは側面部１１ｃに対して略４５度の角度の略傾斜面状とされるＣ面取り状に形成されていてもよい。
【０１０４】
また、対物レンズプロテクタ１０がレンズホルダ２０に接着固定されるときに、対物レンズプロテクタ１０の胴部１３が備えられたレンズホルダ２０の収容室２５に液状の接着剤４０が注入され易くされるために、レンズホルダ２０の上面部２２に例えば略密着するように接している対物レンズプロテクタ１０の頭部１１における下面部１１ｄに、収容室２５内の空気を逃し易くさせる一対の空気抜き用の溝部１２が穿設されている。
【０１０５】
また、対物レンズ３０の上面部３１よりも対物レンズプロテクタ１０の頭部１１の上面部１１ａのほうが、例えば略０．０５ｍｍ以上略０．３ｍｍ以下、好ましくは略０．１ｍｍ以上略０．２ｍｍ以下ほど上側に向けて突出されて光ディスクの透明基板の下面部に接触されない程度に光ディスクの下面部に近づけられるように高さが高く設定される。これは、例えば光ディスクに対する対物レンズ３０のフォーカス方向に略沿った作動距離いわゆるワーキングディスタンス（ＷＤ：ｗｏｒｋｉｎｇ  ｄｉｓｔａｎｃｅ）に配慮したものとされる。
【０１０６】
例えば「ＣＤ」系列の光ディスクに対する対物レンズ３０のワーキングディスタンスは、略０．６１ｍｍとされている。また、例えば「ＤＶＤ」系列の光ディスクに対する対物レンズ３０のワーキングディスタンスは、略０．８４ｍｍとされている。また、例えば「ＨＤ  ＤＶＤ」系列の光ディスクに対する対物レンズ３０のワーキングディスタンスは、略０．７６ｍｍとされている。また、例えば「ＢＤ」系列の光ディスクに対する対物レンズ３０のワーキングディスタンスは、略０．３６ｍｍとされている。
【０１０７】
このように、対物レンズ３０の上面部３１よりも対物レンズプロテクタ１０の頭部１１の上面部１１ａのほうが、光ディスクの透明基板の下面部に接触されない程度に光ディスクの下面部に近づけられるように高さが高く設定され、対物レンズ３０の上面部３１と、対物レンズプロテクタ１０の頭部１１の上面部１１ａと、の差の距離Ｄは、例えば「ＣＤ」系列または「ＤＶＤ」系列の光ディスクに対する対物レンズ３０のフォーカス方向に略沿ったワーキングディスタンスよりも短く設定され、好ましくは「ＢＤ」系列の光ディスクに対する対物レンズ３０のフォーカス方向に略沿ったワーキングディスタンスよりも短く設定される。
【０１０８】
上記光学ヘッド装置、並びに上記光学ヘッド装置を備える光ディスク装置は、上記各種光ディスクにデータ／情報／信号等を記録させたり、上記各種光ディスクのデータ／情報／信号等を再生させたりする記録・再生装置に使用可能とされる。具体的に説明すると、上記光学ヘッド装置、並びに上記光学ヘッド装置を備える光ディスク装置は、上記各種光ディスクにデータ／情報／信号等を記録させたり、上記各種光ディスクのデータ／情報／信号等を再生させたり、上記各種光ディスクのデータ／情報／信号等を消去させたりする記録・再生・消去可能装置に使用可能とされる。また、上記光学ヘッド装置、並びに上記光学ヘッド装置を備える光ディスク装置は、上記各種光ディスクのデータ／情報／信号等を再生させる再生専用装置にも使用可能とされる。
【０１０９】
また、上記光学ヘッド装置は、例えば、コンピュータ、音響／映像機器、ゲーム機、車載機（何れも図示せず）などに組み付けられる光ディスク装置に装備される。また、上記光学ヘッド装置、並びに上記光学ヘッド装置を備える光ディスク装置は、例えば、ノート型パーソナルコンピュータ（ＰＣ：Ｐｅｒｓｏｎａｌ  Ｃｏｍｐｕｔｅｒ）、ラップトップ型ＰＣ、デスクトップ型ＰＣ、車載用コンピュータなどのコンピュータ、コンピュータゲーム機などのゲーム機、ＣＤプレーヤ／ＣＤレコーダ、ＤＶＤプレーヤ／ＤＶＤレコーダ、ＢＤプレーヤ／ＢＤレコーダなどの音響および／または映像機器などに装備可能とされている（何れも図示せず）。又、上記光学ヘッド装置は、「ＣＤ」系光ディスク、「ＤＶＤ」系光ディスク、「ＨＤ  ＤＶＤ」系光ディスク、「ＣＢＨＤ」系光ディスク、「ＢＤ」系光ディスク等の複数のディスクに対応可能なものとされる。また、上記光学ヘッド装置は、複数層の信号面部を有する一枚の光ディスクに対応可能なものとされている。上記光学ヘッド装置は、例えば、「ＣＤ」、「ＤＶＤ」、「ＨＤ  ＤＶＤ」、「ＣＢＨＤ」、「ＢＤ」などの各種光ディスクに対応したコンピュータ、音響および／または映像機器、ゲーム機、車載機などに装備可能とされている（何れも図示せず）。
【０１１０】
以上、本発明の実施形態について説明したが、前述した実施形態は、本発明の理解を容易にするためのものであり、本発明を限定して解釈するためのものではない。本発明は、その趣旨を逸脱することなく、変更／改良され得るとともに、その等価物も含まれる。
【符号の説明】
【０１１１】
１０    レンズプロテクタ（光学部品保護部材）
１１    頭部（保護部）
１１ａ  上面部
１１ｂ  上側周縁部（周縁部）
１１ｃ  側面部
１１ｄ  下面部
１２    溝部（逃し部）
１３    胴部（取付部）
１４    取付強度確保部
１５    基部（取付主体部）
１６    アンカー部（括れ部）
１７    保持部（取付主体離れ部）
１８    突起部（突出部）
１９    先端部（端部）
２０    ホルダ（基礎部材）
２１    天壁
２２    上面部
２３    取付孔（取付部）
２５    収容室（収容部）
３０    レンズ（光学部品）
３１    上面部
４０    接着剤（接合部材）
Ｄ      距離
【図１】
2012069233.tif 000003
【図２】
2012069233.tif 000004
【図３】
2012069233.tif 000005